(57)【要約】【課題】本発明の課題は、建物床下の排水配管の点検等を支障なく行なえるようにすることにある。【解決手段】建物１内排水設備２（２Ａ，２Ｂ，２Ｃ，２Ｄ）からの排水を建物外に導くために建物１床下に配設される排水配管４（４Ａ，４Ｂ）において、建物１床下の内基礎５に設けられている人通孔６（６Ａ，６Ｂ）を横切る配管部分４１（４１Ａ，４１Ｂ）において、配管をコの字形またはＵ字形に屈曲させ、該屈曲部４１（４１Ａ，４１Ｂ）の両端を回動可能に接続し、点検等を行なう時には該屈曲部４１（４１Ａ，４１Ｂ）を上方に回動させ、人が人通孔６Ａ，６Ｂを通り抜ける際に干渉しないようにする。【選択図】    図８
2006037615.tif 000002
【特許請求の範囲】
【請求項１】
建物内排水設備からの排水を建物外に導くために建物床下に配設される排水配管において、建物床下の内基礎に設けられている人通孔を横切る配管部分において、配管をコの字形またはＵ字形に屈曲させ、該屈曲部の両端を回動可能に接続したことを特徴とする建物床下の排水配管構造。
【請求項２】
該屈曲部の両端は回動角度を規制されている接続部材によって排水配管と接続されている請求項１に記載の建物床下の排水配管構造。
【発明の詳細な説明】
【技術分野】
【０００１】
本発明は建物内の台所、洗面所、浴室等の排水設備からの排水を建物床下に設置される集中ますやヘッダーに合流させ更に建物外の排水ますへ導くために建物床下に配設される排水配管の構造に関するものである。
【背景技術】
【０００２】
図１５に示すように建物１の床下には建物１内の各種排水設備２（２Ａ，２Ｂ，２Ｃ，２Ｄ）からの排水を集中ます３に導く排水配管４（４Ａ，４Ｂ，４Ｃ，４Ｄ）が配設されている。該集中ます３に集められた各種排水設備２Ａ，２Ｂ，２Ｃ，２Ｄからの排水は、該集中ます３から接続管７を介して建物外排水ます８に導入され、そして該排水ます８に接続する建物外排水管９を介して図示しない下水本管に導入される（特許文献１参照）。
一方建物１床下には内基礎５が設置されているが、該内基礎５には配管４の点検のために所々に人通孔６（６Ａ，６Ｂ）が設けられている。
【０００３】
【特許文献１】特開２００１−３４８９２７号公報
【発明の開示】
【発明が解決しようとする課題】
【０００４】
上記建物床下の排水配管にあっては、図１６に示すように排水配管４Ａ，４Ｂ，４Ｃ，４Ｄの所定箇所を支持架台１０によって支持されている。そして配管４Ａ，４Ｂが該内基礎５の人通孔６Ａ，６Ｂを横切る部分が存在した場合、この配管部分４１（４１Ａ，４１Ｂ）や支持架台１０が干渉して人通孔６Ａ，６Ｂを通り抜けしにくゝなると云う問題点がある。
図１５に示した例では、建物内排水設備からの排水を建物床下に設置される集中ます３に導くための配管４Ａ，４Ｂに該配管部分４１Ａ，４１Ｂが存在する場合であるが、該集中ます３から建物外排水ます８に導入する配管７も内基礎５の人通孔６Ａ，６Ｂを横切る部分が存在する場合もある。
【課題を解決するための手段】
【０００５】
本発明は上記課題を解決するための手段として、建物１内排水設備２からの排水を建物外に導くために、即ち建物１内排水設備２からの排水を建物１床下に設置される集中ます３やヘッダーに導びいたり、該集中ます３やヘッダーから建物外排水ます８に導びくために建物１床下に配設される排水配管４において、建物１床下の内基礎５に設けられている人通孔６を横切る配管部分４１において、配管４をコの字形またはＵ字形に屈曲させ、該屈曲部４１の両端を回動可能に接続した建物１床下の排水配管構造を提供するものである。該屈曲部４１の両端は回動角度を規制されている接続部材１２，１３によって排水配管４と接続されていることが望ましい。
【発明の効果】
【０００６】
〔作用〕
建物１の床下の排水配管等点検あるいは修理時、人が内基礎５の人通孔６Ａ，６Ｂを通り抜ける時には、該人通孔６Ａ，６Ｂを横切る配管部分をコの字形またはＵ字形に屈曲させた屈曲部４１Ａ，４１Ｂを上方へ回動させる。
該屈曲部４１Ａ，４１Ｂの両端を回動角度を規制されている接続部材１２によって接続すると、該屈曲部４１Ａ，４１Ｂの回動範囲が一定となり、上方へ回動させた後、再び下方へ回動させる際、元の位置に正しく復帰させることが出来る。
【０００７】
〔効果〕
したがって、本発明では床下排水配管の点検等が排水配管に干渉されずに効率的に行なうことが出来る。
【発明を実施するための最良の形態】
【０００８】
以下、本発明を実施例により詳細に説明する。
【０００９】
本発明を図１〜図８に示す一実施例によって説明すれば、図１５における内基礎５の人通孔６Ａ，６Ｂを横切る配管部分４１Ａ，４１Ｂには、図１イ、ロに示すようにＵ字形屈曲部４１Ａあるいはコの字形屈曲部４１Ｂが形成されている。
【００１０】
該Ｕ字形屈曲部４１Ａにあってはその両端は接続部材である９０°回転９０°曲管継手１２，１２によって排水管４Ａに接続されており、該コの字形屈曲部４１Ｂにあってはその両端は接続部材である回転ソケット１３，１３によって排水管４Ｂと接続されている。そして該コの字形屈曲部４１Ｂは両側管部４１１Ｂ，４１１Ｂと上辺管部４１２Ｂとからなり、両側管部４１１Ｂ，４１１Ｂと上辺管部４１２Ｂとは９０°曲管継手１４，１４によって接続されている。
【００１１】
前記したように排水配管４Ａ，４Ｂ，４Ｃ，４Ｄは所定箇所で支持架台１０によって支持されているが、図２イに示すように該支持架台１０は管挿通口１０１を有する二つ割りの管支持部１０２と、該管支持部１０２を支持する支持台部１０３から立設されている一対のねじ支持棒１０４，１０４とからなり、該支持台部１０３のねじ支持棒１０４，１０４と、該ねじ支持棒１０４，１０４の上端から螺着されるナット１０５，１０５とによって該管支持部１０２の高さが調節可能とされている。なお、支持台部１０３には床下面に固定するための固定穴１０６，１０６が設けられている。
【００１２】
該排水配管４Ａ，４Ｂの屈曲部４１Ａ，４１Ｂの頂上部分は支持架台１１によって支持されている。該支持架台１１は図２ロに示すように断面Ｕ字形の管支持部１１２と、該管支持部１１２を支持する支持台部１１３から立設されている一対の支持棒１１４，１１４とからなる。
【００１３】
該９０°回転９０°曲管継手１２は図３〜図５に示すように９０°回転９０°曲管部材１２１と、該９０°回転９０°曲管部材１２１の根端が回転可能に接続されている受口部材１２２とからなり、該９０°回転９０°曲管部材１２１の先端には屈曲部４１Ａの端部が内側嵌合される受口部１２３が形成されており、該受口部材１２２の根端側には該９０°回転９０°曲管部材１２１が内側嵌合される根端側受口部１２４が拡径形成されており、先端側には排水配管４Ａの端部が内側嵌合される先端側受口部１２５が形成されている。
【００１４】
該受口部材１２２の根端側受口部１２４の内周面のゴム輪装着溝１２６にはゴム輪１２７が装着されており、該受口部材１２２の根端側受口部１２４と、該受口部１２４に内側嵌合される９０°回転９０°曲管部材１２１との気密性を確保している。
【００１５】
該受口部材１２２の根端側受口部１２４には周方向に９０°回転巾の切欠き１２８が設けられており、一方９０°回転９０°曲管部材１２１の根端部外周には係止突起１２９が設けられており、該９０°回転９０°曲管部材１２１が管軸ＡＸを中心として正逆回転した場合、該係止突起１２９が該受口部材１２２の根端側受口部１２４の切欠き１２８の両端に当接して該９０°回転９０°曲管部材１２１の回転巾をθ＝９０°に規制する。したがって屈曲部４１Ａの回動巾も９０°に規制される。
【００１６】
回転ソケット１３は図６および図７に示すように、本体１３１と、該本体１３１の両端ねじ部１３２，１３２に螺着される有口袋ナット１３３，１３３とからなり、該本体１３１の外周の軸方向中央部には８角形あるいは６角形のグリップ部１３４が突設されており、該本体１３１の内周の軸方向中央部にはストッパー１３５が突出形成されており、該本体１３１の両端周面は内側に斜めに設定されてゴム輪装着溝１３６，１３６が形成されている。
【００１７】
上記回転ソケット１３の一端からは屈曲部４１Ｂの両側管部４１１Ｂが内側嵌合され、他端からは排水配管４Ｂの端部が内側嵌合されるが、この際該回転ソケット１３の両端ゴム輪装着溝１３６，１３６にはゴム輪１３７が装着される。
【００１８】
上記回転ソケット１３にあっては、袋ナット１３３を締付けると該ゴム輪１３７が圧迫されて径方向に変形し屈曲部４１Ｂの両側管部４１１Ｂ外周あるいは排水配管４Ｂ外周を圧迫して該両側管部４１１Ｂあるいは排水配管４Ｂの管軸ＡＸを中心とした回転を固定する。したがって屈曲部４１Ｂを回動させる時は、該回転ソケット１３の袋ナット１３３をゆるめ、該屈曲部４１Ｂを所定角度（例えば９０°）回動させた後、袋ナット１３３を締付けて回動を固定する。
【００１９】
上記構成において、通常時は図１イ、ロに示すように排水配管４Ａ，４Ｂの屈曲部４１Ａ，４１Ｂを水平に倒した状態とし、点検等を行なう時には図８イ、ロに示すように該屈曲部４１Ａ，４１Ｂを略垂直に立てた状態とすれば、人はその下を通り抜け出来、点検等が行ない易くなる。
【００２０】
図９〜図１２には屈曲部４１Ａを回転可能に接続するための回転曲管継手の他の実施例が示される。本実施例は１８０°回転９０°曲管継手１２Ａに関するもので、該曲管継手１２Ａは１８０°回転９０°曲管部材１２１Ａと、受口部材１２２Ａとからなり、該１８０°回転９０°曲管部材１２１Ａの先端には屈曲部４１Ａの端部が内側嵌合される先端側受口部１２３Ａが形成されており、該１８０°回転９０°曲管部材１２１Ａの根端には該受口部材１２２Ａの根端が内側嵌合される根端側受口部１２４Ａが拡径形成されており、該根端側受口部１２４Ａ端縁には１８０°回転巾の切欠き１２５Ａが設けられている。
【００２１】
該１８０°回転９０°曲管部材１２１Ａの根端側受口部１２４Ａ端縁には、図１０に示すように４条の係合突条１２６Ａが周方向に形成されており、一方該受口部材１２２Ａの根端外周には係止フランジ１２７Ａが形成されており、該受口部材１２２Ａの根端部を該１８０°回転９０°曲管部材１２１Ａの根端側受口部１２４Ａに内側嵌合した時、該受口部材１２２Ａの根端外周の係止フランジ１２７Ａが該１８０°回転９０°曲管部材１２１Ａの根端側受口部１２４Ａの係合突条１２６Ａに係合して抜け止めされている。該受口部材１２２Ａの根端縁部にはゴム輪装着溝１２９Ａが形成されており、該ゴム輪装着溝１２９Ａにはゴム輪１３０Ａが装着されている。そして該受口部材１２２Ａの根端部外周には図１２に示すように係止突起１２８Ａが突設されており、該１８０°回転９０°曲管部材１２１Ａの根端側受口部１２４Ａが管軸ＡＸを中心として正逆回転した場合、該係止突起１２８Ａが該１８０°回転９０°曲管部材１２１Ａの端縁の切欠き１２５Ａの両端に当接して該１８０°回転９０°曲管部材１２１Ａの回転巾をθ＝１８０°に規制する。したがって屈曲部４１Ａの回転巾も１８０°に規制される。
【００２２】
図１３には屈曲部４１と排水配管４との接続構造の他の実施例が示される。この実施例では屈曲部４１の両端部に受口１４が拡径形成される。該受口１４内周にはゴム輪装着溝１４１が形成されており、該ゴム輪装着溝１４１にはゴム輪１４２が装着され、該受口１４に排水配管４の端部が内側嵌合される。この接続方式では排水配管４に対して屈曲部４１が回動可能になる。
【００２３】
図１４イ、ロには屈曲部４１の他の形状が示される。図１４イは台形輪郭形状の変形コの字形屈曲部４１を示し、ロは片側傾斜変形コの字形屈曲部４１を示す。
【００２４】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２５】
本発明では建物床下排水配管４を点検等する際、屈曲部４１を上方に回動させるので、人通孔６を人が通り抜ける際、該排水配管が干渉せず、点検等が容易に出来る。
【図面の簡単な説明】
【００２６】
図１〜図８は本発明の一実施例を示すものである。
【図１】イ、ロ床下内基礎人通孔付近の説明斜視図
【図２】イ、ロ支持架台の斜視図
【図３】９０°回転９０°曲管継手の側面図
【図４】９０°回転９０°曲管継手の側断面図
【図５】図３におけるＡ−Ａ断面図（突起部）
【図６】回転ソケットの斜視図
【図７】回転ソケットの側断面図
【図８】イ、ロ点検等実施時に排水配管の屈曲部を上方に回動させた状態の説明図  図９〜図１２は接続部材の他の実施例を示すものである。
【図９】１８０°回転９０°曲管継手の一部切欠き側面図
【図１０】図９におけるＣ−Ｃ断面図
【図１１】図１０におけるＢ−Ｂ断面図
【図１２】図９におけるＤ−Ｄ断面図（突起部）
【図１３】屈曲部と排水配管との接続部の他の実施例の一部切欠き側面図
【図１４】イ、ロ屈曲部の他の形状の説明図
【図１５】床下排水配管の説明図
【図１６】内基礎人通孔付近の説明斜視図
【符号の説明】
【００２７】
１                            建物
２（２Ａ，２Ｂ，２Ｃ，２Ｄ）  排水設備
３                            集中ます
４（４Ａ，４Ｂ，４Ｃ，４Ｄ）  排水配管
５                            内基礎
６（６Ａ，６Ｂ）              人通孔
８                            建物外排水ます
１２                            ９０°回転９０°曲管継手
１２Ａ                          １８０°回転９０°曲管継手
１３                            回転ソケット
４１（４１Ａ，４１Ｂ）          屈曲部（配管部分）
【図１】
2006037615.tif 000003
【図２】
2006037615.tif 000004
【図３】
2006037615.tif 000005
【図４】
2006037615.tif 000006
【図５】
2006037615.tif 000007
【図６】
2006037615.tif 000008
【図７】
2006037615.tif 000009
【図８】
2006037615.tif 000010
【図９】
2006037615.tif 000011
【図１０】
2006037615.tif 000012
【図１１】
2006037615.tif 000013
【図１２】
2006037615.tif 000014
【図１３】
2006037615.tif 000015
【図１４】
2006037615.tif 000016
【図１５】
2006037615.tif 000017
【図１６】
2006037615.tif 000018